(57)【要約】      （修正有）【課題】ユーザプロファイル、研究者どうしの議論、取引履歴などを統合的に用いて、ユーザの研究を支援する。【解決手段】参加する研究者はユーザプロファイルをユーザプロファイルデータベース１３に格納し、書籍の推薦や売買を商取引機構１５で行うとともに、情報交換議論部１９で研究者間で共同研究などのための意見交換などを行い、そこで形成されるグループの情報に基づきユーザグループプロファイルデータベース１３ａが更新され、また議論の内容を解析し加工したものが議論データベース１８に格納され、それらの情報を統合的に用い、ユーザが興味のあるグループや自らの嗜好を用い、ユーザプロファイルを更新、このサイクルで常にフィードバックをかけることで、リアルタイムにユーザにとって有意義な情報を提供する。【選択図】図１
2007323622.tif 000002
【特許請求の範囲】
【請求項１】
複数の専門的な知識を有するユーザが自らの知識獲得でき、主として複数のユーザが専門的な論議の題材に意見を与え合うことができ、それらの交流でできたユーザ間の関係を結びつけたり、あらたな関係を作ったりする事を支援できる研究者関係構築機構と、
それらで得たあらたな知識やデータならびにユーザ間の関係を処理するユーザグループプロファイル情報処理部および処理されたデータを保持するためのユーザグループプロファイルデータベースならびに格納機構のデータやデータの固まりを他のユーザの好みに応じて参照できる多機能な嗜好情報処理部と、
オンラインで接続されたユーザ同士が文字データを交換することにより意見交換を可能とする情報交換議論機構とそれらの議論の履歴をすべて格納するためのデータベースならびにデータベースの情報を加工ならびに管理する議論データ処理部と、
ユーザが交流する研究者と書籍の交換や推薦および売買を可能とするためのユーザの嗜好を記述したユーザプロファイルに応じた上記書籍の交換や推薦や売買を可能にするための商取引機構と、
上記機構によって用いられるユーザプロファイルのための情報入力部および入力された情報を格納するユーザプロファイルデータベース、専門的な知識を有するユーザ群にとって利用可能な形式およびデータセットならびに順位付けおよび取捨選択を自動的に行うためのユーザプロファイル情報処理部と、
上記ユーザプロファイル情報処理部の機能において具体的にクラスタリングや統計的な手法によりデータを加工し管理するためのユーザプロファイルデータ管理部を少なくとも具備した研究者支援システム。
【請求項２】
前記ユーザが議論した履歴を文書のデータセットとして複数のユーザが参照でき、それらのデータをまとめるメタデータを管理でき、専門分野を特定できる機能を有するとともに、総合的に研究の発展を支援することを特徴とする請求項１記載の研究者支援システム。
【請求項３】
前記ユーザが請求項１記載の研究者関係構築機構において、請求項２記載のメタデータに特徴づけられた専門分野のユーザと関係をもつためにオンライン上で紹介されることができ、
それらの紹介をデータとして記述するためのデータベースとしてユーザグループに関するデータが格納されているユーザグループプロファイルデータベースと、
紹介されたユーザ同士の関係保持のためにそれらのユーザだけが閲覧可能なオンライン上のウェブサイトのごとき情報交換のための空間を保持した請求項１記載の研究者関係構築と可能とする研究者支援システム。
【請求項４】
前記ユーザ間の議論により生成されたデータセットを分類したり、参照したりするために、請求項１記載のユーザプロファイルの情報をもとに、あらたにユーザにとって未知の情報を推薦することを支援するとともに、
推薦されたユーザが真に推薦されたデータおよび情報を活用できたか検証し、システムが自ら精度を分析し、適当な推薦手法を学習するが可能となる機能を特徴とする請求項１記載の研究者支援システム。
【請求項５】
前記ユーザの好みに応じて情報交換議論機構のデータおよびデータセットならびに専門的情報を嗜好情報処理部に基づいた取捨選択により参照でき、その参照情報自体もさらにユーザプロファイルに上書きされることを特徴とした請求項１記載の研究者支援システム。
【請求項６】
上記議論データ処理部で加工ならびに管理されている情報をユーザにとって有意義な情報として提供するために、連続した情報を適当に分割された議論データを協調フィルタリングごとき手続きにより特徴付けを行い、履歴のおおまかな流れを容易に把握可能とする請求項１記載の研究者支援システム。
【請求項７】
前記ユーザプロファイルに基づき、他のユーザが提供する書籍を推薦したり販売したりすることならびに好みがマッチングするユーザ同士の書籍の交換をかの寿とする請求項１の商取引機能のためのユーザのデータを管理、加工および削除するための前期ユーザプロファイル情報処理部を特徴とする請求項１記載の研究者支援システム。
【請求項８】
上記ユーザのプロファイルを利用し易いように加工するために、取引履歴、議論履歴および前記研究者関係構築機構により得られた情報を総括的に用いてユーザプロファイルを特徴づける事ができるとともに、
その後の取引で用いられるユーザプロファイルへの加工および修正を可能とする請求項７記載のユーザプロファイル情報処理部ならびにユーザプロファイルデータ管理部。
【請求項９】
前記ユーザプロファイル情報処理部ならびにユーザプロファイルデータ管理部により生成、加工、追加されたデータを統合的および効果的に用いられる事が可能な請求項７記載の商取引機能。
【請求項１０】
前記ユーザプロファイル情報処理部ならびにユーザプロファイルデータ管理部ならびに嗜好情報処理部などのユーザの専門知識や嗜好性を特徴づけ、総合的かつ効果的に研究者支援に用いる事ができる請求項１記載の研究者支援システム。
【発明の詳細な説明】
【技術分野】
【０００１】本発明は、オンラインで研究者間が議論をしたり紹介したりすることで自らの研究を進展させるおよび共同研究者を推薦するならびに研究活動に関わる書籍を販売および交換ならびに書籍や研究に関わる情報を推薦する機能を具備するとともに、それらの機能においてユーザそれぞれの性質に特化して利用可能となるようなユーザプロファイル構築、管理のごとき機能を具備し、ユーザプロファイル、研究者どうしの議論、取引履歴などを統合的に用いて、ユーザの研究を支援できる研究者支援システム。
【背景技術】
【０００２】ユーザが端末間をネットワークで構成された環境において共同で研究する場合に、従来の技術として存在するメッセンジャーソフトウエアごとき単純な意思疎通ではなく、そのユーザが保持する専門的知識を他のユーザに効果的に伝達するとともに、そのユーザが自らの専門知識に関わるプロファイルを保持したシステムとして運用することは、研究活動の進展や研究の発展において望ましく、科学の発展に寄与でき望ましい。【０００３】特定の研究に関して、ユーザグループが議論する内容の記録を作成し、他のグループとの関連性、他のユーザとの関係性を判定する事で、研究者間の関係を広げさせることは、多様な視点での研究の進展につながり、そのようなことは望ましい。【０００４】研究者にとって、ある特定の研究テーマに関しては、それぞれに所有する知識が異なり、研究に対する意欲も異なる上に、ユーザが所有する関連する分野の知識量などを鑑みれば議論の場においての発言力および発言量は異なることが考えられること、ならびに少しでも専門的な部分から外れればそのユーザにとって議論が希薄になることを鑑みれば、前提となる知識を提供する、あるいはそのユーザに適した書籍や議論等を提供する事が望ましい。【０００５】書籍の交換、提供、売買の機能を持つシステムを提供することで、研究者交流が益々深められる事が望ましく、それのためにはユーザの性質を事細かに管理できるユーザプロファイルごとき機能を具備したシステムが好ましいが、それらを統合的に活用しているシステムは既存に存在せず、また既存に存在しているシステムでは研究を支援するに十分な効果は望めない。【０００６】ユーザプロファイルごときユーザの性質を表す情報に基づき議論グループを推薦したり、適当な書籍を推薦したりするために、プロファイルを随時更新し、それらは議論の履歴、発言の履歴、グループへの参加などの行動の履歴、取引履歴、閲覧履歴、初期入力情報などに基づき決定され、その結果適宜時間に応じてユーザが必要とする情報提供、研究支援を行う機能の統合と導入が望ましい。【０００７】研究者を支援することを目的とした研究業務支援装置及び研究業務遂行方法に関する特許として特開２００３ー４４６４３号があるが、単に新しく作成された文書を早く研究者に提供するためのシステムであり、ここでのシステムは共同研究に関わるものではなく、書籍等の取引との関係性も一切なく、特開２００３ー４４６４３号の技術区分を分けてそこに属する分野の文書を提供する事自体が創造的な活動を遮り、本申請のごとき統合的な推薦、研究者の紹介など特開２００３ー４４６４３号のごとき発明により実現する事は不可能である。【０００８】研究の活性化を図る事を目的として、学術文書の流通と利用を促進する発明として特開２００４ー８６５３３号があるが、ここにみられる文書管理装置は、実際に研究で利用された種々のデータの入手が困難であるという学術文書の特性を考慮して、データの自由登録による記録と再利用を実現しているが、特定の研究者の研究を広げたり、研究者間の交流および議論さらには学術情報の推薦は一切考慮されておらず、特開２００３ー４４６４３号ごとき発明により協力的な研究活動を効果的に行うことは不可能である。【０００９】そこで、研究者支援システムに係り、特に、研究者の研究内容や興味、嗜好に特徴づけられるユーザプロファイルの作成と、ユーザ間の共同研究支援、研究者紹介および推薦、ならびに研究者が必要とする書籍の交換、販売、推薦を統合的に実現し、時間ごとにユーザプロファイルが更新される事ができる研究を支援するための研究者支援システムがユーザにとって望まれる。
【発明が解決しようとする課題】
【００１０】この発明は、上記の点に鑑みなされたもので、研究者の研究内容や興味、嗜好に特徴づけられるユーザプロファイルの作成と、ユーザ間の共同研究支援、研究者紹介および推薦、ならびに研究者が必要とする書籍の交換、販売、推薦を統合的に実現し、時間ごとにユーザプロファイルが更新される事ができる研究を支援するための研究者支援システムを提供することを目的とする。
【課題を解決するための手段】
【００１１】このような技術的課題は本発明によって有効に解決できるものである。本発明に係る研究者支援システムの一例では、複数のユーザが所有する知識の集合体およびすでに表明された知識への意見の集合体を知識群としてみなした文書を格納する議論情報メモリと、ユーザの発言やグループへの参加の履歴ならびに書籍の売買や交換およびウェブページの閲覧履歴など統合的に管理するユーザプロファイル情報処理部およびユーザプロファイルデータ管理部を具備し、そこに格納されているユーザの特徴を表すデータセットとしてもユーザプロファイルが新たに研究者を紹介したり、研究を推薦したり、書籍などを推薦および紹介したりすることを可能とし、逐次初期入力のユーザプロファイルが更新可能で、リアルタイムにユーザに紹介されることが好ましい研究に関わる様々な情報を提供することができ、議論等の履歴を自然言語処理などの技術によりまとめ、研究者がそれを閲覧する事で研究活動が促進される研究者支援システム。
【発明を実施するための最良の形態】以下、図面を参照して本発明の実施例について説明する。【００１２】図１は、本発明に係る研究者支援システムの一実施例を示すブロック図である。まず、端末１０からユーザが入力した自らの専門分野や特性を表す情報をユーザプロファイルデータ管理部１１で、データベースに格納できるデータセットとして整形され、それがユーザプロファイルデータベース１３に格納される。【００１３】ユーザは情報交換議論機構１９を用いて、他の研究者と議論を行い、グループに関する情報がユーザグループプロファイルデータベース１３ａに格納される。【００１３】議論データは議論データ処理部１７に送信され、加工整形されたものが議論データベース１８に格納される。【００１４】議論データ処理部１７の議論の内容に基づきグループの特質などのデータセットがユーザグループプロファイルデータベース１３ａに格納される。【００１５】ユーザグループプロファイルデータベース１３ａの情報は研究者関係構築機構１４でおよび嗜好情報処理部１６で分類され、その特徴を表すデータに基づきユーザプロファイルデータベース１３のユーザプロファイルデータが更新される。【００１６】議論データ処理部において、一つのテーマまたはグループにおいて大量の議論が存在する際に、議論を協調フィルタリングなどの自然言語処理技術により解析しすることで、類似する部分をまとめるとともに、グループにとって意外性のある部分を発見する。【００１７】上記、処理を行った結果のデータを議論のデータセットに対応しリンク付けされ、議論のデータと上記議論データ処理部１７で加工された情報ならびに、議論の要約を一つのセットにして議論データベース１８に格納される。【００１８】議論データベースに格納されたデータのうちユーザにとって関連の深い語をユーザプロファイルデータベースに格納する。【００１９】ユーザプロファイルデータベースに事前に入力されたユーザプロファイルと、議論の結果に生成されたユーザプロファイルに関わる情報、さらにユーザグループプロファイル情報処理部１２で加工された情報ならびにユーザプロファイル情報処理部１１ａで加工された情報を総合的に用い、ユーザプロファイルデータベース１３のユーザに関する情報を更新する。【００２０】商取引機構１５は、ユーザが書籍等研究に関わる情報を実際に交換するためのもので、ユーザプロファイル情報およびユーザグループプロファイル情報によりユーザに対して書籍が推薦される。【００２１】上記、商取引機構１５においては、オークション、逆オークションなどの商取引支援、マッチングなどが可能であり、適当な売り手と買い手が見つかれば引き合わせる。【００２２】商取引機構１５で行われた取引に関しては、その履歴がユーザプロファイル情報処理部１１ａおよびユーザグループプロファイル情報処理部１２に送信され、それに基づきユーザプロファイルデータベースの情報が更新されるとともに、ユーザグループプロファイルデータベースが更新される。【００２３】図２は商取引機構１５の内部の一例を簡潔に示したもので、取引において売り手は商品情報を商品情報入力部２１から入力し、それは商品情報データベース２０に格納される。【００２４】商品情報データベース２０に格納された情報に基づき、適当なユーザが存在するかマッチング部２２の照合則２２ａにより探索され、適当なユーザが存在する場合はユーザに対して商品の推薦を行う。【００２５】商品情報データベース２０に格納されている商品情報は各ユーザが参照可能であり、またそれに加えて、上記で推薦されたユーザは、欲しい商品があればオークションや逆オークションの手法で購入する。【００２６】図３は情報交換議論部１９の内部の一例を簡潔に示したもので、各ユーザは議論入力部３０から議論を入力する。【００２７】議論入力部３０から入力された議論はそのまま図１の議論データベースに格納されるほか、議論情報整理部３２の整理則３２ａに基づき整理される。【００２８】上記、議論情報整理部３２で整理された情報のうち、ユーザグループおよびユーザにとって重要かどうかを計るため、関連度計算部
３１の計算則３１ａで計算される。【００２９】上記関連度計算部３１で計算されたデータは議論データ処理部１７を経て議論データベース１８に格納され、関連度はユーザグループプロファイルデータベース１３ａに格納され、研究者関係構築機構１４で加工され、というようにユーザグループプロファイルならびにユーザプロファイルに対してフィードバックがかけられる。
【発明の効果】
【００３０】以上述べたように本発明に係る研究者支援システムはユーザが端末間をネットワークで構成された環境において共同で研究する場合に、従来の技術として存在するメッセンジャーソフトウエアごとき単純な意思疎通ではなく、そのユーザが保持する専門的知識を他のユーザに効果的に伝達するとともに、そのユーザが自らの専門知識に関わるプロファイルを保持したシステムとして運用することは、研究活動の進展や研究の発展を支援でき、科学の発展に寄与できる。
【００３１】特定の研究に関して、ユーザグループが議論する内容の記録を作成し、他のグループとの関連性、他のユーザとの関係性を判定する事で、研究者間の関係を広げさせることは、多様な視点での研究の進展につながる。
【００３２】研究者にとって、ある特定の研究テーマに関しては、それぞれに所有する知識が異なり、研究に対する意欲も異なる上に、ユーザが所有する関連する分野の知識量などを鑑みれば議論の場においての発言力および発言量は異なることが考えられること、ならびに少しでも専門的な部分から外れればそのユーザにとって議論が希薄になることを鑑みれば、前提となる知識を提供する、あるいはそのユーザに適した書籍や議論等を提供する事が可能である。
【００３３】ユーザプロファイルごときユーザの性質を表す情報に基づき議論グループを推薦したり、適当な書籍を推薦したりするために、プロファイルを随時更新し、それらは議論の履歴、発言の履歴、グループへの参加などの行動の履歴、取引履歴、閲覧履歴、初期入力情報などに基づき決定され、その結果適宜時間に応じてユーザが必要とする情報提供、研究支援を行う機能の統合が可能となる。
【００３４】以上より、研究者支援システムに係り、特に、研究者の研究内容や興味、嗜好に特徴づけられるユーザプロファイルの作成と、ユーザ間の共同研究支援、研究者紹介および推薦、ならびに研究者が必要とする書籍の交換、販売、推薦を統合的に実現し、時間ごとにユーザプロファイルが更新される事ができる研究を支援することが可能となる。
【図面の簡単な説明】
【００３５】
【図１】本発明に係る研究者支援システムを示す回路ブロック図。
【図２】本発明に係る研究者支援システムの入力情報処理機構の詳細を示す回路ブロック図。
【００３６】１０・・・端末
１１・・・ユーザプロファイルデータ管理
１１ａ・・ユーザプロファイル情報処理部
１２・・・ユーザグループプロファイル情報処理部
１３・・・ユーザプロファイルデータベース
１３ａ・・ユーザグループプロファイルデータベース
１４・・・研究者関係構築機構
１５・・・商取引機構
１６・・・嗜好情報処理部
１７・・・議論データ処理部
１８・・・議論データベース
１９・・・情報交換議論機構
２０・・・商品情報データベース
２１・・・商品情報入力部
２２・・・マッッチング部
２２ａ・・照合則
２３・・・商取引部
２３ａ・・売買則
３０・・・議論入力部
３１・・・関連度計算部
３１ａ・・計算則
３２・・・議論情報整理部
３２ａ・・整理則
【図１】
2007323622.tif 000003
【図２】
2007323622.tif 000004
【図３】
2007323622.tif 000005
【手続補正書】
【提出日】平成18年9月12日(2006.9.12)
【手続補正１】
【補正対象書類名】明細書
【補正対象項目名】００３５
【補正方法】変更
【補正の内容】
【００３５】
【図１】本発明に係る研究者支援システムを示す回路ブロック図。
【図２】本発明に係る研究者支援システムの入力情報処理機構の詳細を示す回路ブロック図。
【図３】本発明に係る研究者支援システムの情報交換議論部の一例を示す回路ブロック図。